【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
タッチパネル機能を有する操作部を備えた印刷設定装置であって、
第１頁及び第２頁を含む複数頁の画像を前記操作部に表示させる表示手段と、
前記操作部において前記第１頁の画像と前記第２頁の画像の両方がタッチされた状態で、前記第１頁の画像と前記第２頁の画像の少なくとも１つが、前記第１頁の画像と前記第２頁の画像が近付く方向にドラッグされたことに基づき、前記第１頁の画像と前記第２頁の画像が１枚のシートに印刷されるように設定するための制御を行う制御手段と、
を備えることを特徴とする印刷設定装置。
【請求項２】
前記制御手段は、前記操作部において前記第１頁の画像と前記第２頁の画像の両方がタッチされた状態で、前記第１頁の画像と前記第２頁の画像の少なくとも１つが、前記第１頁の画像と前記第２頁の画像が近付く方向にドラッグされたことに基づき、前記第１頁の画像と前記第２頁の画像が１枚のシートに印刷されるように設定するか否かをユーザに問い合わせることを特徴とする請求項１に記載の印刷設定装置。
【請求項３】
前記制御手段は、前記操作部において前記第１頁の画像と前記第２頁の画像の両方がタッチされた状態で、前記第１頁の画像と前記第２頁の画像の少なくとも１つが、前記第１頁の画像と前記第２頁の画像が近付く方向にドラッグされたことに基づき、前記第１頁の画像と前記第２頁の画像を１枚のシートの同一の面に印刷するか、前記第１頁の画像と前記第２頁の画像を１枚のシートの互いに異なる面に印刷するかの選択を受け付けることを特徴とする請求項１または２に記載の印刷設定装置。
【請求項４】
原稿上の画像を読み取る読取手段を更に備え、
前記操作部に表示される画像は、前記読取手段によって読み取られた画像であることを特徴とする請求項１乃至３のいずれか１項に記載の印刷設定装置。
【請求項５】
画像をシートに印刷する印刷手段を更に備え、
前記操作部における画像の表示は、前記印刷手段によって印刷される画像のプレビュー表示であることを特徴とする請求項１乃至４のいずれか１項に記載の印刷設定装置。
【請求項６】
前記制御手段は、前記操作部において前記第１頁の画像と前記第２頁の画像のいずれか一方のみがタッチされた状態で、当該タッチされている頁の画像がドラッグされたことに基づき、当該タッチされている頁の順番を入れ替えることを特徴とする請求項１乃至５のいずれか１項に記載の印刷設定装置。
【請求項７】
前記制御手段は、前記操作部において前記第１頁の画像と前記第２頁の画像のいずれか一方の複数箇所がタッチされた状態でピンチアウト動作が行われると、当該タッチされている画像を拡大することを特徴とする請求項１乃至６のいずれか１項に記載の印刷設定装置。
【請求項８】
タッチパネル機能を有する操作部を用いた印刷設定方法であって、
第１頁及び第２頁を含む複数頁の画像を前記操作部に表示させる表示工程と、
前記操作部において前記第１頁の画像と前記第２頁の画像の両方がタッチされた状態で、前記第１頁の画像と前記第２頁の画像の少なくとも１つが、前記第１頁の画像と前記第２頁の画像が近付く方向にドラッグされたことに基づき、前記第１頁の画像と前記第２頁の画像が１枚のシートに印刷されるように設定するための制御を行う制御工程と、
を備えることを特徴とする印刷設定方法。
【請求項９】
コンピュータを請求項１乃至７のいずれか１項に記載の印刷設定装置の各手段として機能させるためのプログラム。
【手続補正２】
【補正対象書類名】明細書
【補正対象項目名】発明の名称
【補正方法】変更
【補正の内容】
【発明の名称】印刷設定装置、印刷設定方法、及びプログラム
【手続補正３】
【補正対象書類名】明細書
【補正対象項目名】０００１
【補正方法】変更
【補正の内容】
【０００１】
本発明は、印刷設定装置、印刷設定方法、及びプログラムに関する。
【手続補正４】
【補正対象書類名】明細書
【補正対象項目名】０００８
【補正方法】変更
【補正の内容】
【０００８】
本発明の特徴は、タッチパネル機能を有する操作部における直感的な操作で、複数の画像が１枚のシートに印刷されるように設定を行うことができる仕組みを提供することにある。
【手続補正５】
【補正対象書類名】明細書
【補正対象項目名】０００９
【補正方法】変更
【補正の内容】
【０００９】
上記目的を達成するために本発明の一態様に係る印刷設定装置は、タッチパネル機能を有する操作部を備えた印刷設定装置であって、第１頁及び第２頁を含む複数頁の画像を前記操作部に表示させる表示手段と、前記操作部において前記第１頁の画像と前記第２頁の画像の両方がタッチされた状態で、前記第１頁の画像と前記第２頁の画像の少なくとも１つが、前記第１頁の画像と前記第２頁の画像が近付く方向にドラッグされたことに基づき、前記第１頁の画像と前記第２頁の画像が１枚のシートに印刷されるように設定するための制御を行う制御手段と、を備えることを特徴とする。
【手続補正６】
【補正対象書類名】明細書
【補正対象項目名】００１０
【補正方法】変更
【補正の内容】
【００１０】
本発明によれば、タッチパネル機能を有する操作部における直感的な操作で、複数の画像が１枚のシートに印刷されるように設定を行うことができるようになる。
【手続補正７】
【補正対象書類名】明細書
【補正対象項目名】０００２
【補正方法】変更
【補正の内容】
【０００２】
近年、タッチパネルを装備した装置が製品化され普及しつつある。とりわけマルチタッチ機能を備えた装置では、複数の指で操作することにより、画像の拡大や縮小を直観的に行うことを可能としている。このようなタッチパネルを、高機能型のデジタル複合機（ＭＦＰ：Multifunction peripheral）に設けることにより、装置の操作性を向上することが考えられる。
【手続補正８】
【補正対象書類名】明細書
【補正対象項目名】００２９
【補正方法】変更
【補正の内容】
【００２９】
次にＳ３０６に進み、メインコントローラ２１１は、ＤＲＡＭ２２２に記憶された画像データを指定されたファイル形式でファイル化し、ファイル化された画像データをＨＤコントローラ２３１を経由してＨＤドライブ２３２に転送する。本実施形態では、画像データの圧縮形式がＪＰＥＧであるため、一般的なＪＰＥＧヘッダを付加することによってファイル化を行う。こうすることで読み込んだ画像データをＨＤドライブ２３２に格納する。次にＳ３０７に進み、メインコントローラ２１１は、スキャンした画像の属性及び画像をプリントするときの設定データをファイル化し、ＨＤドライブ２３２へ転送して格納する。ここで、保存する画像属性は、縦横の画素数、色空間、１プレーン当たりのビット数とプレーン数、ＪＰＥＧ圧縮係数、画像がカラーか白黒か、等の、プリント時に画像データをデコードして処理するために必要な属性である。また、保存するプリント設定は、プリント用紙サイズ、両面設定、フィニッシングの有無、カラー／白黒印刷の区別、等である。尚、Ｓ３０６、Ｓ３０７でファイルを保存する際、ファイル名に命名規則を設けることにより、ファイルのページ番号を識別できるようにし、また、画像データファイルと属性・設定ファイルとの対応が付けられるようにする。例えば、１ページ目の画像データファイル名を「copy0001_data.dat」、属性・設定ファイル名を「copy0001_attr.dat」とする。２ページ目以降も、数字の部分をページ番号にして、例えば５ページ目であればそれぞれ「copy0005_data.dat」「copy0005_attr.dat」とする。このようにすることで、スキャン後に画像データをプリント、或いはプレビューする際に、画像データと画像属性・プリント設定を読み出すファイルを識別することができる。そしてＳ３０８で、原稿給紙ユニット１２１に原稿が存在するかどうかを判断する。原稿給紙ユニット１２１に原稿があればＳ３０９に進んで、次の原稿を搬送してＳ３０２へ戻り、その原稿のスキャンを実行する。Ｓ３０８で原稿給紙ユニット１２１に次の原稿が存在しなければ、コピー処理のスキャン動作は終了する。
【手続補正９】
【補正対象書類名】明細書
【補正対象項目名】００３５
【補正方法】変更
【補正の内容】
【００３５】
まずＳ４０１で、メインコントローラ２１１は、印刷するページ番号として「１」を設定、即ち、最初のページから印刷するように設定する。ここで設定したページ番号について以降の処理を行う。次にＳ４０２に進み、スキャン時（図３のＳ３０７）に保存した画像属性・プリント設定ファイルからデータを読み出す。ここで読み出した画像属性及び印刷設定に基づいて各処理を行う。次にＳ４０３に進み、印刷する画像データファイルがＤＲＡＭ２２２に存在しない場合はＨＤドライブ２３２から画像ファイルを読み込んでＤＲＡＭ２２２に格納する。次にＳ４０４に進み、メインコントローラ２１１はＤＲＡＭ２２２に格納した画像データをグラフィックプロセッサ２５１に転送し、グラフィックプロセッサ２５１から出力された画像データをプリンタ画像処理部２５３に転送する。そしてＳ４０５で、その転送された画像データをプリンタ画像処理部２５３が画像処理を行った後、Ｓ４０６でＤＲＡＭ２５４に格納する。そしてＳ４０７に進み、コネクタ２５５を介してプリンタ部１３０を制御しつつ、適切なタイミングでＤＲＡＭ２５４の画像データをプリンタ部１３０へ転送する。
【手続補正１０】
【補正対象書類名】明細書
【補正対象項目名】００５７
【補正方法】変更
【補正の内容】
【００５７】
図８（Ｂ）のメニュー８１１において、選択項目８１３（2in1）をユーザが選択したことを検知すると、メインコントローラ２１１は、図９（Ｂ）に示した、2in1設定画面９３１を表示する。左開きボタン９３４、右開きボタン９３５のいずれかをユーザが選択することにより、左→右の順でページを配置するか、右→左の順でページを配置するかを設定する。ボタン９３６とボタン９３７は、2in1設定を操作したページのみに適用するか、スキャンした画像全体に適用するかを設定するボタンである。設定取消ボタン９３２を押下すると2in1設定を取り消してプレビュー画面に戻る。ＯＫボタン９３３を押下すると2in1設定を確定し、印刷に反映させる。尚、ここでは2in1設定画面を示しているが、一般的にはNin1設定であっても良い。
【手続補正１１】
【補正対象書類名】明細書
【補正対象項目名】００７５
【補正方法】変更
【補正の内容】
【００７５】
図１４（Ａ）の画面１４１１は、変倍メニュー１３０５もしくは１３０６をユーザが押下したときに表示される変倍設定画面である。領域１４１６は変倍率の設定領域であり、キーでの数値入力と、用紙サイズによる定型変倍率の設定（図１４（Ａ）の画面では、Ａ３からＡ４への定型縮小７０％を表示している）の両方が行える。領域１４１７は、回転の設定を示し、画像を設定した方向に回転する。例えば、Ａ３横の画像をＡ４縦にしたい場合は、変倍設定領域１４１６で７０％縮小を設定し、回転設定領域１４１７で右回転又は左回転を設定する。ボタン１４１４とボタン１４１５は、変倍設定領域１４１６と回転設定領域１４１７で設定した設定を、図１２（Ａ）で操作したページのみに適用するか、スキャンした画像全体に適用するかを選択するボタンである。設定取消ボタン１４１２を押下すると上記の変倍設定を取り消してプレビュー画面に戻る。ＯＫボタン１４１３を押下すると上記の変倍設定を確定して印刷に反映させる。
【手続補正１２】
【補正対象書類名】明細書
【補正対象項目名】００８０
【補正方法】変更
【補正の内容】
【００８０】
一方、Ｓ１５０２で、図１２（Ａ）の動作で選択された２つの画像の用紙サイズが互いに異なるときはＳ１５０４に進み、図１２（Ｂ）の画面を表示する。つまり、「同じ大きさにプリント」メニュー１２０２を表示する。次にＳ１５０５に進み、「大きい方に合わせる」メニュー１２０３が押下されたかどうかを判定する。Ｓ１５０５で、「大きい方に合わせる」メニュー１２０３が押下されたと判定するとＳ１５０６に進み、対応する設定処理を行う。このＳ１５０６の処理内容は後述する。こうしてＳ１５０６の設定処理が完了するとＳ１５１１へ進んでプレビュー画面を再表示して、設定処理を終了する。
【手続補正１３】
【補正対象書類名】明細書
【補正対象項目名】００８５
【補正方法】変更
【補正の内容】
【００８５】
一方、Ｓ１６０２で、ＵＩ表示部１５１のメニュー内の領域が押下されたときはＳ１６０３へ進み、変倍メニュー１３０５が押下されたかどうか判断する。Ｓ１６０３で変倍メニューが押下されたときはＳ１６０５へ進んで、変倍設定処理を実行する。このＳ１６０５の処理内容は後述する。こうしてＳ１６０５の変倍設定処理が完了すると、Ｓ１５０６の処理も完了となる。またＳ１６０２，Ｓ１６０３のいずれの判定もＮＯであればＳ１６０２へ戻って、前述の判断を繰り返すことでユーザの入力を待つ。
【手続補正１４】
【補正対象書類名】明細書
【補正対象項目名】００９４
【補正方法】変更
【補正の内容】
【００９４】
Ｓ１８２４の判定がＮＯの場合、つまり処理ページ番号の用紙サイズが指定されたページの用紙サイズと異なる場合は、変倍処理を行わずＳ１８２９へ進む。このようにして、指定ページと同じ大きさのページのみ変倍され、指定された大きい方のページ（図１２（Ａ）であれば画像５２２）と大きさを揃えることができる。
【手続補正１５】
【補正対象書類名】明細書
【補正対象項目名】００９８
【補正方法】変更
【補正の内容】
【００９８】
Ｓ１９０４で、ＵＩ表示部１５１のメニュー外の領域が押下されたかどうかを判断する。メニュー外の領域が押下されたときはＳ１９０５へ進み、メニューの表示を消去して処理を終了する。メニュー領域が押下されたときはＳ１９０６に進み、変倍メニュー１３０６が押下されたかどうか判断する。Ｓ１９０６の判定もＮＯであればＳ１９０８へ進み、「Ｚ折り」メニュー１３０７が押下されたかどうか判断する。Ｓ１９０８の判定もＮＯであればＳ１９０４へ戻って、前述の処理を繰り返すことでユーザの入力を待つ。尚、Ｓ１９０２の判定がＮＯだった場合はＺ折りメニュー１３０７は表示していないため、Ｓ１９０８は必ずＮＯとなる。
【手続補正１６】
【補正対象書類名】明細書
【補正対象項目名】０１０６
【補正方法】変更
【補正の内容】
【０１０６】
図２１（Ａ）は、プレビュー画面で文書内の用紙サイズの大きいページがタッチされた様子を示す図である。このとき、図２１（Ｂ）のように、メインコントローラ２１１は「大きさを揃えてプリント」メニュー２１０２を表示する。「大きさを揃えてプリント」メニュー２１０２は、変倍メニュー２１０３とＺ折りメニュー２１０４から成る。変倍メニュー２１０３をユーザが押下したときに表示する画面は図１４（Ａ）の変倍設定画面１４１１と同じである。Ｚ折りメニュー２１０４をユーザが押下したときに表示する画面は図１４（Ｂ）のＺ折り設定画面１４２１と同じである。
【手続補正１７】
【補正対象書類名】明細書
【補正対象項目名】０１０７
【補正方法】変更
【補正の内容】
【０１０７】
図２２（Ａ）は、プレビュー画面で文書内の用紙サイズの小さいページがタッチされた様子を示す図である。このとき、図２２（Ｂ）のように、メインコントローラ２１１は「大きさを揃えてプリント」メニュー２２０２を表示する。「大きさを揃えてプリント」メニュー２２０２は、変倍メニュー２２０３と2in1メニュー２２０４から成る。変倍メニュー２２０３をユーザが押下したときに表示する画面は図１４（Ａ）の変倍設定画面１４１１と同じである。2in1メニュー２２０４をユーザが押下したときに表示する画面は図９（Ｂ）の2in1設定画面９３１と同じである。
【手続補正１８】
【補正対象書類名】明細書
【補正対象項目名】０１１４
【補正方法】変更
【補正の内容】
【０１１４】
Ｓ２４１４では、ＵＩ表示部１５１のメニュー外の領域が押下されたかどうかを判断し、この判定がＮＯであればＳ２４１６へ進み、変倍メニュー２１０３が押下されたかどうか判断する。Ｓ２４１６の判定もＮＯであればＳ２４１８へ進み、「Ｚ折り」メニュー２１０４が押下されたかどうか判断する。Ｓ２４１８の判定もＮＯであればＳ２４１４へ戻って、前述の判断を繰り返すことでユーザの入力を待つ。尚、Ｓ２４１２の判定がＮＯだった場合にはＺ折りメニュー２１０４は表示していないため、Ｓ２４１８の判定は必ずＮＯとなる。Ｓ２４１４の判定がＹＥＳであれば、ユーザのメニュー選択キャンセル動作として、Ｓ２４１５へ進んで「大きさを揃えてプリント」メニュー２１０２、変倍メニュー２１０３、Ｚ折りメニュー２１０４を消去して処理を完了する。